(57)【特許請求の範囲】
【請求項１】
非表示領域を構成する基板上に引き廻された電極端子の中間部に狭幅部が配設され、該狭幅部の引き廻し方向における両側に連接された電極端子のうち広面積を有する電極端子側に接続基端部が配設され、前記狭幅部の幅寸法と前記接続基端部の幅寸法の比が１：５以上とされてなる表示パネルであって、
前記接続基端部には放電部としての尖状部が配設されているとともに、前記基板上には前記尖状部と放電ギャップを隔てて放電のためのダミー電極が配設されていることを特徴とする表示パネル。
【請求項２】
前記尖状部は前記狭幅部と接続している前記接続基端部の端辺の少なくとも一側の端部に設けられていることを特徴とする請求項１に記載の表示パネル。
【請求項３】
前記接続基端部と狭幅部との間に、前記接続基端部側から狭幅部側へ電極端子の幅が漸減する狭窄部が配設されている請求項１または請求項２に記載の表示パネル。
【発明の詳細な説明】
【技術分野】
【０００１】
本発明は、表示パネルの非表示領域を構成する透明基板上に引き廻し形成された電極端子にアレスタ構造を備えた表示パネルに関する。
【背景技術】
【０００２】
表示パネルは、非表示領域を構成する透明基板上に、表示領域に形成された透明電極から引き出した電極端子を所定のパターンで形成し、その電極端子の先端部をそれぞれ前記透明基板に配設される駆動用ＬＳＩなどの半導体チップやフレキシブル電極端子基板などの接続電極端子部材（図示せず）に接続し、前記透明電極に電圧を選択的に印加することにより、所定の画像を表示するように構成されている。
【０００３】
例えば、図３は、非表示領域の電極端子部に駆動用ＬＳＩなどの半導体チップを搭載するＣＯＧ（Chip On Glass）実装方式を用いた液晶表示パネル１の要部構成を示す断面図である。
【０００４】
この図に示す前記液晶表示パネル１は、略平行に配置されて相対向するように配設された一対の透明基板２を有しており、この一対の透明基板２のうちの観察者側（図中、上方）に位置する透明基板２はフロント基板２Ｆとされており、反観察者側（図中、下方）に位置する透明基板２はリア基板２Ｒとされている。
【０００５】
前記透明基板２Ｒの他方の透明基板２Ｆに対向する面には、インジウム錫酸化物（以下、ＩＴＯという）等からなる透明電極としてのコモン電極が形成されており、また、透明基板２Ｆの他方の透明基板２Ｒに対向する面には、ＩＴＯ等からなる透明電極としてのセグメント電極が形成されている。そして、前記コモン電極、セグメント電極が形成された透明基板２の表面には、互いに対向する電極間で液晶分子を一定の形態に配列させるために表面にラビング処理が施された配向膜（図示せず）が積層形成されている。そして、一対の透明基板２の対向面間の周囲には、前記両透明基板２Ｒ、２Ｆを貼り合わせて一体化するための略四角枠状の枠状シール材４が配設されており、前記枠状シール材４により囲まれた面内には、各透明基板２Ｒ、２Ｆの間隙寸法を調整するためのスペーサ（図示せず）とともに液晶（図示せず）が封入され、前記一対の透明基板２の対向面間に液晶層５が形成されている。この液晶層５に対応する部分は当該液晶表示パネル１の表示領域を構成することとなる。
【０００６】
前記一対の透明基板２には、透明なガラスあるいはポリカーボネートなどの透明な樹脂が用いられ、略矩形の平板状に形成されている。そして、前記リア基板２Ｒの一端縁部分は非表示領域においてフロント基板２Ｆの端縁より突出するように延出形成され、この部分には電極端子部６が形成されている。
【０００７】
図４は、図３に示す液晶表示パネル１の電極端子部６の要部を示す平面図である。
【０００８】
図３およびび図４に示すように、前記電極端子部６には、前記一方の透明基板２Ｒに配設されたコモン電極、および他方の透明基板２Ｆに配設されたセグメント電極が引き廻し形成され、それぞれコモン電極端子１１およびセグメント電極端子１２とされている。
【０００９】
そして、コモン電極から電極端子部６に延設されたコモン電極端子１１が、前記電極端子部６を引き廻し形成され、半導体チップ７の搭載位置において、バンプＢを介して前記半導体チップと接続されている。また、各セグメント電極から前記枠状シール材４に配設されたトランスファ部（図示せず）を介して前記電極端子部６に引き廻し形成された各セグメント電極端子１２も、同様にして、バンプＢを介して半導体チップ７と接続されている。
【００１０】
そして、このような構成とされた前記液晶表示パネル１においては、前記リア基板２Ｒの外部接続用の信号端子１０にフレキシブル配線基板等の接続配線部材（図示せず）が接続され、前記接続配線部材を介して前記各透明基板２Ｒ、２Ｆに形成されたコモン電極、セグメント電極に電圧を印加することにより、所定の画像を表示するように構成されている。
【００１１】
【特許文献１】特開２００４−１８４５４５号公報
【発明の開示】
【発明が解決しようとする課題】
【００１２】
ところで、前述したような液晶表示パネル１の非表示領域における電極端子部６に形成される各電極端子の中には、前記電極端子部６に実装された半導体チップ７に接続されるバンプＢ間などの狭い間隙を通して引き回される電極端子がある。そのような場合、液晶表示パネル１によっては、各電極端子の幅寸法が引き廻しの全長で略同一の幅寸法とならず、その中間部において幅寸法を急に狭めた引き廻し形状となることがある。
【００１３】
例えば、図４に示すコモン電極端子１１には、電極端子部６上において、接続基端部１６に連接された狭幅部１８が形成されており、前記狭幅部１８は、該電極端子部６に実装される半導体チップ７に接続されるバンプＢ間の狭い間隙を引き廻し形成されている。
【００１４】
そして、本従来例においては、前記狭幅部１８の幅寸法と接続基端部１６の幅寸法との比が約１：１０となるように形成されており、このように幅寸法が変化する形状とされたコモン電極端子１１においては、前記狭幅部１８が、表示領域を引き回された透明電極３に帯電した電荷によって過電流状態となり、抵抗負荷が上昇し、かかる狭幅部１８に焦げ付きが発生して断線することがあった。この断線の問題は、特に、配設面積の大きい領域側（本従来例においては表示領域側）から配設面積の小さい領域側（本従来例においては非表示領域側）へ向かって電荷が流れる場合に、その配設面積の大きい領域側における前記狭幅部１８の直前部において発生することが多かった。
【００１５】
本発明は、このような問題に鑑み、過電流を原因とする電極端子の焦げ付きを防止して、該電極端子の断線を回避することのできる構成を有する表示パネルを提供することを目的とする。
【課題を解決するための手段】
【００１６】
前述した目的を達成するため、本発明の表示パネルは、非表示領域を構成する基板上に引き廻された電極端子の中間部に狭幅部が配設され、該狭幅部の引き廻し方向における両側に連接された電極端子のうち広面積を有する電極端子側に接続基端部が配設され、前記狭幅部の幅寸法と前記接続基端部の幅寸法の比が１：５以上とされてなる表示パネルであって、前記接続基端部には放電部としての尖状部が配設されているとともに、前記基板上には前記尖状部と放電ギャップを隔てて放電のためのダミー電極が配設されていることを特徴とする。
【００１７】
本発明の表示パネルによれば、前記尖状部とダミー電極をアレスタとして作用させ、前記電極端子の狭幅部に流れる余分な電荷の放電が前記尖状部とダミー電極間で発生するように誘導し、該電極端子の過電流を解消させて抵抗負荷を下げることで、該電極端子の断線を回避することができる。
【００１８】
また、本発明の第２の態様は、前記尖状部は前記狭幅部を連接させる前記接続基端部の端辺の少なくとも一側の端部に設けられている。
【００１９】
本発明の第２の態様によれば、前記接続基端部における前記狭幅部の接続部位から離間する少なくとも一側の端部に前記尖状部を形成することにより、該電極端子の引き廻し方向における前記狭幅部の両方向に配設された電極端子のうち広面積に配設された電極端子側において、前記狭幅部から離間させた部位で放電を発生させることができるので、前記狭幅部に対する放電の影響を避けつつ、確実に過電流を解消することが可能となる。
【００２０】
そして、本発明の第３の態様は、前記接続基端部と狭幅部との間に、前記接続基端部側から狭幅部側へ電極端子の幅が漸減する狭窄部が配設されている。
【００２１】
本発明の第３の態様によれば、狭幅部と接続基端部との間に形成された狭窄部により、電流の流れを徐々に前記狭幅部へ案内することで、抵抗負荷が急激に増大することを防止することが可能となる。
【発明の効果】
【００２２】
このように、本発明の表示パネルによれば、短距離のうちにその幅寸法を頗る狭幅に変化させて引き廻し形成される電極端子の過電流を原因とする焦げ付きを防止して、該電極端子の断線を回避することができ、表示パネルの電気的な接続安定性をも確保することができる。
【発明を実施するための最良の形態】
【００２３】
図１は、前述の従来例に示す図４に対応する本実施形態の表示パネル１の電極端子部６に形成された電極端子としてのコモン電極端子１１のパターンとその要部形状を示す平面図である。なお、本実施形態の液晶表示パネルについて、従来と同様の構成部分については、同一の符号を付し、その説明を省略する。
【００２４】
本実施形態の液晶表示パネル１の電極端子部６は、フロント基板２Ｆの端縁より突出するように延出形成されたリア基板２Ｒの一端縁部分に形成されている。
【００２５】
前記電極端子部６には、ＩTＯ等からなる透明導電膜をフォトリソ法などにより所定のパターンに形成することにより、当該液晶表示パネル１にＣＯＧ実装される長方形状の半導体チップ７が接続され、液晶表示パネル１の表示領域の前記透明電極３から引き出された所定の引き廻しパターンのコモン電極端子１１やセグメント電極端子１２がそれぞれ形成されている。
【００２６】
また、前記液晶表示パネル１においては、リア基板２Ｒに形成された外部接続用の信号端子１０に接続配線部材としてのフレキシブル配線基板（図示せず）が接続され、前記フレキシブル配線基板を介して、表示パネル１は外部駆動回路（図示せず）と電気的に接続されるように構成されている。
【００２７】
そして、本実施形態の液晶表示パネル１においては、非表示領域を構成する電極端子部６の透明基板２R上に引き廻し形成されたコモン電極端子１１には狭幅部１８とそれに連なる接続基端部１６とが形成されている。なお、狭幅部１８と接続基端部と１６との幅寸法の比が１：５以上とされている部分をアレスタ構造部１５と称する。
【００２８】
本実施形態において、前記アレスタ構造部１５は、該コモン電極端子１１の引き廻し方向において、前記狭幅部１８の両側に連接されたコモン電極端子１１のうち広面積に配設されたコモン電極端子１１側、すなわち、表示領域側に位置する接続基端部１６と、前記接続基端部１６における端辺の中央部に、その幅寸法が前記接続基端部側から狭幅部１８側へ漸減する狭窄部１７を介して狭幅部１８が連接されており、前記狭幅部１８の幅寸法（図１中、Ａで示す）と前記接続基端部１６の幅寸法（図１中、Ｂで示す）の比は１：５以上（本実施形態においては１：１０）となるように形成されている。
【００２９】
そして、前記アレスタ構造部１５には、接続基端部１６の端辺における、前記狭窄部１７が連接されていない両端部に放電部としての尖状部１９が形成されており、前記電極端子部１６の透明基板２Ｒ上には前記尖状部１９との間に適宜な放電ギャップＧを隔てて、放電のためのダミー電極２０が、前記尖状部１９と対向する先端部を尖状として、ＩＴＯにより形成されている。なお、前記尖状部１９は、前記狭幅部１８を連接させる前記接続基端部１６の端辺の少なくとも一側の端部に形成されていればよい。また、放電ギャップＧとしては、接続基端部１６と隣接する電極端子との間隙より小さい寸法で形成した方がダミー電極２０に放電しやすくなる。具体的な寸法でいえば、放電ギャップＧは５〜１０μmとすることが好ましい。
【００３０】
また、前記尖状部１９やダミー電極２０の前記尖状部と対向する先端部の形状は、図１に示す形状に限ることなく、放電を発生させやすいとされる尖状の突出部として形成されていればよい。敢えて云えば、前記尖状部１９は鋭角に形成されていることが好ましい。
【００３１】
このような構成のコモン電極端子１１を有する本実施形態の液晶表示パネル１によれば、前記アレスタ構造部１５に形成された尖状部１９とダミー電極２０をアレスタとして作用させ、前記コモン電極端子１１のアレスタ構造部１５に流れる余分な電荷の放電が前記尖状部１９とダミー電極２０間で発生するように誘導し、該コモン電極端子１１の過電流を解消させて抵抗負荷を下げることで、該コモン電極端子１１の断線を回避することができる。
【００３２】
つまり、本実施形態のように、電極端子部６に実装される半導体チップ７に接続されるバンプＢ間の狭い間隙を引き廻してコモン電極端子１１を形成しなければならないような場合、前述のように構成されたアレスタ構造部１５の狭幅部１８を以て前記バンプＢ間を引き廻し形成することで、前記狭幅部１８が過電流を原因として断線することを有効に防止することができ、電気的に安定した液晶表示パネル１を提供することが可能となる。
【００３３】
また、本実施形態の液晶表示パネル１は、前記アレスタ構造部１５には、前記接続基端部１６と狭幅部１８との間に、コモン電極端子１１の幅寸法が前記接続基端部１６側から狭幅部１８側へ漸減する狭窄部１７が形成されているので、前記狭窄部１７により、電流を徐々に前記狭幅部１８へ案内することで、抵抗負荷が急激に増大することを防止することが可能となる。
【００３４】
特に、前記狭幅部１８と前記接続基端部１６の幅寸法の比が１：５以上（本実施形態においては１：１０）となるように形成された液晶表示パネル１においては、従来の構造であれば、過電流を原因とする断線が生じる可能性が極めて高かったが、本実施形態のように、コモン電極端子１１にアレスタ構造を備え、かつ、狭窄部１７を介して狭幅部１８を形成することで、過電流を有効に防止することができる。
【００３５】
さらに、本実施形態の液晶表示パネル１は、前記尖状部１９を前記接続基端部１６における前記狭幅部１８の接続部位から離間する少なくとも一側の端部に形成することにより、前記狭幅部１８から離間させた部位で放電を発生させることができるので、前記狭幅部１８に対する放電の影響を避けつつ、確実に過電流を解消することが可能となる。なお、前記尖状部１９は、前記狭幅部１８を連接させる前記接続基端部１６の端辺の少なくとも一側の端部に形成されていれば、本発明の期待する効果を得ることができる。
【００３６】
なお、本発明は、前述した実施の形態に限定されるものではなく、必要に応じて種々の変更が可能である。例えば、表示パネルとして液晶表示パネルを例に挙げて説明したが、有機ＥＬ表示パネルやプラズマ表示パネルであってもよい。また、前記アレスタ構造を有する電極端子もコモン電極には限らない。
【図面の簡単な説明】
【００３７】
【図１】本発明の液晶表示パネルの実施形態における電極端子部に形成された電極端子の一例としてのコモン電極の形状を示す説明図
【図２】図１の液晶表示パネルにおけるコモン電極のアレスタ構造部の要部拡大図
【図３】従来の液晶表示パネルの要部構成を示す断面図
【図４】従来の液晶表示パネルにおける電極端子部に形成された電極端子の一例としてのコモン電極の形状を示す説明図
【符号の説明】
【００３８】
１  液晶表示パネル
２  透明基板
２Ｆ  フロント基板
２Ｒ  リア基板
３  透明電極
４  枠状シール材
５  液晶層
６  電極端子部
７  半導体チップ
１０  外部接続信号端子
１１  コモン電極端子
１２  セグメント電極端子
１５  アレスタ構造部
１６  接続基端部
１７  狭窄部
１８  狭幅部
１９  尖状部
２０  ダミー電極
Ｇ  放電ギャップ
Ｂ  バンプ
【図１】
0004739868.tif 000002
【図２】
0004739868.tif 000003
【図３】
0004739868.tif 000004
【図４】
0004739868.tif 000005